Podtech/llm-jp-corpus-v4-ja_patent huggingface dataset:
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
エチレンを吸着するための材料であって、ベース材料と、前記ベース材料の表面上のコーティングとを含み、前記コーティングが、シリコーンエラストマーと、無機エチレン吸着剤とを含み、
前記シリコーンエラストマーが、付加硬化シリコーンエラストマーであり、
無機エチレン吸着剤がパラジウム・ドープのゼオライトの粒子を含む、材料。
【請求項２】
包装材料である、請求項１に記載の材料。
【請求項３】
前記ベース材料がポリマーフィルムである、請求項１又は２に記載の材料。
【請求項４】
前記シリコーンエラストマーが、ビニル末端ポリジメチルシロキサンと、メチルヒドロシロキサン−ジメチルシロキサンコポリマーとの反応を含むプロセスによって形成された、請求項１〜３のいずれか一項に記載の材料。
【請求項５】
前記シリコーンエラストマーが、ショアデュロメータタイプＡにより測定して、硬化後に＞１５の硬度を有する、請求項１〜４のいずれか一項に記載の材料。
【請求項６】
前記シリコーンエラストマーが、ＵＶ活性化シリコーンエラストマーである、請求項１〜５のいずれか一項に記載の材料。
【請求項７】
前記ゼオライトが、小孔又は中孔ゼオライトである、請求項１〜６のいずれかに記載の材料。
【請求項８】
前記ゼオライトが、ＣＨＡ骨格型を有する、請求項７に記載の材料。
【請求項９】
前記ゼオライトが、ＭＦＩ骨格型を有する、請求項７に記載の材料。
【請求項１０】
前記無機エチレン吸着剤が、前記コーティングの総重量の少なくとも１０重量％を構成する、請求項１〜９のいずれか一項に記載の材料。
【請求項１１】
（ｉ）少なくとも２つのアルケニル基を含むポリオルガノシロキサンと、
（ｉｉ）シリコーン原子に結合した少なくとも２つの水素原子を含有するオルガノハイドロジェンポリシロキサンと、
（ｉｉｉ）無機エチレン吸着剤と、
を含み、
無機エチレン吸着剤がパラジウム・ドープのゼオライトの粒子を含む、付加硬化シロキサン組成物。
【請求項１２】
前記無機エチレン吸着剤が、前記組成物の総重量の１〜５０重量％を構成する、請求項１１に記載の組成物。
【請求項１３】
前記シロキサン組成物が、ＵＶ活性化されている、請求項１１又は１２に記載の組成物。
【請求項１４】
前記ポリオルガノシロキサンがビニル末端ポリジメチルシロキサンであり、前記オルガノハイドロジェンポリシロキサンがメチルヒドロシロキサン−ジメチルシロキサンコポリマーである、請求項１１〜１３のいずれか一項に記載の組成物。
【請求項１５】
前記ポリオルガノシロキサンが、２５℃で２０００ｍＰａ・ｓ以下の粘度を有する、請求項１１〜１４のいずれか一項に記載の組成物。
【請求項１６】
ゼオライトが小孔ゼオライトである、請求項１１〜１５のいずれか一項に記載の組成物。
【請求項１７】
前記ゼオライトが、ＣＨＡ骨格型を有する、請求項１６に記載の組成物。
【請求項１８】
３０００ｍＰａ・ｓ未満の粘度を有する、請求項１１〜１７のいずれか一項に記載の組成物。
【請求項１９】
ショアデュロメータタイプＡにより測定して、硬化後に＞１５の硬度を有する、請求項１１〜１８のいずれか一項に記載の組成物。
【請求項２０】
硬化触媒を含む、請求項１１〜１９のいずれか一項に記載の組成物。
【請求項２１】
エチレンを吸着するための材料であって、ベース材料と、前記ベース材料の表面上のコーティングとを含み、前記コーティングが、請求項２０に記載の組成物の硬化生成物を含む、材料。
【請求項２２】
前記ポリオルガノシロキサン、前記オルガノハイドロジェンポリシロキサン、前記無機エチレン吸着剤、及び硬化触媒を組み合わせる工程、を含む、請求項２０に記載の組成物の製造方法。
【請求項２３】
請求項１〜１０のいずれか一項に記載の材料の製造方法であって、
（ｉ）前記ベース材料を、請求項２０に記載のシロキサン組成物でコーティングする工程と、
（ｉｉ）前記シロキサン組成物を硬化させる工程と、を含む、製造方法。
【請求項２４】
前記ベース材料がポリマーフィルムである、請求項２３に記載の製造方法。
【請求項２５】
前記コーティング工程が、グラビアコーティング又はスプレーコーティング工程である、請求項２４に記載の製造方法。
【請求項２６】
エチレンを吸着するための、請求項１〜１０又は請求項２１のいずれか一項に記載の材料の使用。
【請求項２７】
請求項１〜１０又は請求項２１のいずれか一項に記載の材料を含む、包装構造。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
その中に封止された複数の内部バッグを有する外部バッグであって、前記内部バッグが、生分解性及び／又はコンポスト可能な包装材料で製造されており、且つ前記内部バッグのそれぞれが、その中に封止された少なくとも１種類の酸化性化合物を有する、外部バッグ。
【請求項２】
２３℃及び相対湿度５０％にて２４時間、１ｃｍ３／ｃｍ２未満の酸素透過度（ＯＴＲ）を有する包装材料で製造されており、且つ／又は３８℃及び相対湿度９０％にて２４時間、１ｇ／ｍ２未満の水蒸気透過度（ＷＶＴＲ）を有する包装材料で製造されている、請求項１に記載の外部バッグ。
【請求項３】
前記外部バッグが、少なくとも１０個の内部バッグを含み、且つ／又は空の前記外部バッグの重量と、空の前記内部バッグの総重量との比が、２：１未満である、請求項１又は２に記載の外部バッグ。
【請求項４】
前記外部バッグが、少なくとも１０個の内部バッグを含み、且つ／又は空の前記外部バッグの重量と、空の前記内部バッグの総重量との比が、１：１〜１：５０である、請求項１又は２に記載の外部バッグ。
【請求項５】
前記外部バッグ内の空気が、酸素ガスを１０体積％未満含み、且つ／又は前記内部バッグのそれぞれが、酸素ガスを１０体積％未満含む、請求項１から４のいずれか一項に記載の外部バッグ。
【請求項６】
再利用可能、リサイクル可能及び／又は再封止可能である、請求項１から５のいずれか一項に記載の外部バッグ。
【請求項７】
前記内部バッグのそれぞれが、その中に封止された多数の押出物を有し、前記押出物が、ビタミンＡ若しくはビタミンＡのエステルなど少なくとも１種類の酸化性化合物を含む、請求項１から６のいずれか一項に記載の外部バッグ。
【請求項８】
前記押出物２．７ｇが、１０ｃｍ３未満の体積を有する、請求項７に記載の外部バッグ。
【請求項９】
それぞれの内部バッグが、
‐少なくとも３種類のビタミンと、
‐少なくとも３種類のミネラル、
の１日当たりの推奨摂取量（ＲＤＩ）を少なくとも８０％を含有し、
前記１日当たりの推奨摂取量（ＲＤＩ）が、Ｆｏｏｄ  ａｎｄ  Ｎｕｔｒｉｔｉｏｎ  Ｂｏａｒｄ  ｏｆ  ｔｈｅ  Ｉｎｓｔｉｔｕｔｅ  ｏｆ  Ｍｅｄｉｃｉｎｅ，Ｎａｔｉｏｎａｌ  Ａｃａｄｅｍｙ  ｏｆ  Ｓｃｉｅｎｃｅｓによる食事ガイドラインに準拠した、幼児、小児又は成人に関するＲＤＩであり、前記ガイドラインは２０１８年１月１日に有効となっている、請求項７又は８に記載の外部バッグ。
【請求項１０】
複数個のバッグを製造するための、生分解性及び／又はコンポスト可能な包装材料の使用であって、前記複数個のバッグが、外部バッグ内に封止されており、前記生分解性及び／又はコンポスト可能な包装材料が、修飾又は非修飾ポリ乳酸（ＰＬＡ）を含む、使用。
【請求項１１】
前記生分解性及び／又はコンポスト可能な包装材料が、ＰＬＡでコーティングされた紙を含む、請求項１０に記載の使用。
【請求項１２】
前記複数のバッグが、請求項７から９のいずれか一項に記載の内部バッグである、請求項１０又は１１に記載の使用。
【請求項１３】
少なくとも１種類の酸化性化合物を包装する方法であって、以下の工程：
外部バッグ内に複数個の内部バッグを詰めて、任意選択的に、前記外部バッグを保護ガスでパージする工程と、
前記外部バッグを封止する工程と、
を含み、
前記内部バッグが生分解性及び／又はコンポスト可能な包装材料で製造されており、且つ前記内部バッグのそれぞれが、その中に封止された少なくとも１種類の酸化性化合物を有する、方法。
【請求項１４】
前記外部バッグが、請求項１から９のいずれか一項に記載の外部バッグであり、且つ／又は前記複数個の内部バッグが、請求項７から９のいずれか一項に記載の内部バッグである、請求項１３に記載の方法。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
ライブの電子スポーツ（ｅスポーツ）イベントのスケーリングされたエンゲージメント及びビューを提供する方法であって、
１つまたは複数のゲーム内要素を含む情報をライブｅスポーツイベントから収集することと、
前記収集した情報に基づいて前記ライブｅスポーツイベント内のプレイヤに関する統計を生成することと、
前記ライブｅスポーツイベントからの前記収集された情報を使用して、ゲーム内カメラの視野からの前記ライブｅスポーツイベントを提示する表示を生成することであって、前記生成された表示は、前記生成された統計に関連付けられる、前記生成することと、
前記生成された表示を、前記生成された統計を使用して、リモート視聴者に合わせて修正することであって、前記生成された表示を修正することは、拡張現実環境内に前記ライブｅスポーツイベントの表示を実施することと、前記リモート視聴者のプリファレンスに従って、前記ゲーム内要素の少なくとも１つを追うように前記ゲーム内カメラの視野を調節することを含む、前記修正することと、
前記修正された表示を前記リモート視聴者のユーザデバイスに配信することと、
を含む、方法。
【請求項２】
前記ライブｅスポーツイベントから前記収集された情報は、前記ライブｅスポーツイベント内の前記プレイヤによって使用されるイベント固有のコンピューティングデバイスからのゲーム関連情報を含む、請求項１に記載の方法。
【請求項３】
前記ライブｅスポーツイベントから前記収集された情報は、聴衆及び前記ライブｅスポーツイベントに対する前記聴衆の反応に関する情報を含む、請求項１に記載の方法。
【請求項４】
前記生成された表示を修正することは、広告を組み込むことをさらに含む、請求項１に記載の方法。
【請求項５】
前記生成された表示を修正することは、前記リモート視聴者に関連付けられたユーザプロファイルにさらに基づき、前記ユーザプロファイルは、前記リモート視聴者にとって関心のある前記生成された統計に関連するものとして前記プリファレンスを識別する、請求項１に記載の方法。
【請求項６】
前記ユーザプロファイルは、前記リモート視聴者にとって関心のある広告の種類に関連する追加プリファレンスをさらに識別する、請求項５に記載の方法。
【請求項７】
前記生成された表示を修正することは、前記ライブｅスポーツイベントの複数の異なる視野を提供することをさらに含み、前記異なる視野は、前記収集された情報に関連付けられた前記ライブｅスポーツイベントの異なるカメラアングルに基づく、請求項１に記載の方法。
【請求項８】
前記リモート視聴者は、他の視聴者とのインタラクションを選択し得る機能を提供される、請求項１に記載の方法。
【請求項９】
前記リモート視聴者は、他の視聴者からの音声を提供される、請求項１に記載の方法。
【請求項１０】
ライブ電子スポーツ（ｅスポーツ）イベントのスケーリングされたエンゲージメント及びビューを提供するシステムであって、
１つまたは複数のゲーム内要素を含む情報をライブｅスポーツイベントから収集するイベントサーバであって、前記情報は、プレイヤの入力と、ビデオゲーム情報とを含む、前記イベントサーバと、
ゲームサーバであって、
前記収集された情報に基づいて前記ライブｅスポーツイベント内のプレイヤに関する統計を生成すること、
前記ライブｅスポーツイベントから前記収集された情報を使用して、ゲーム内カメラの視野から前記ライブｅスポーツイベントを提示する表示を生成することであって、前記生成された表示は、前記生成された統計と関連付けられる、前記生成すること、
前記生成された表示を前記生成された統計を使用してリモート視聴者に合わせて修正することであって、
前記生成された表示を修正することは、拡張現実環境内に前記ライブｅスポーツイベントの表示を実施することと、前記リモート視聴者のプリファレンスに従って、前記ゲーム内要素の少なくとも１つを追うように前記ゲーム内カメラの視野を調整することとを含む、前記修正すること、及び、
前記修正された表示を前記リモート視聴者のユーザデバイスに配信すること、
を行う前記ゲームサーバと、
を含む、システム。
【請求項１１】
前記ライブｅスポーツイベントから前記収集された情報は、前記ライブｅスポーツイベント内の前記プレイヤによって使用されるイベント固有のコンピューティングデバイスからのゲーム関連情報を含む、請求項１０に記載のシステム。
【請求項１２】
前記ライブｅスポーツイベントから前記収集された情報は、聴衆と前記ライブｅスポーツイベントに対する前記聴衆の反応とに関する情報を含む、請求項１０に記載のシステム。
【請求項１３】
前記生成された表示を修正することは、広告を組み込むことをさらに含む、請求項１０に記載のシステム。
【請求項１４】
前記生成された表示を修正することは、前記リモート視聴者に関連付けられたユーザプロファイルにさらに基づき、前記ユーザプロファイルは、前記リモート視聴者にとって関心のある前記生成された統計に関連するものとして前記プリファレンスを識別する、請求項１０に記載のシステム。
【請求項１５】
前記ユーザプロファイルは、前記リモート視聴者にとって関心のある広告の種類に関連する追加プリファレンスをさらに識別する、請求項１４に記載のシステム。
【請求項１６】
前記生成された表示を修正することは、前記ライブｅスポーツイベントの複数の異なる視野を提供することをさらに含み、前記異なる視野は、前記収集された情報に関連付けられた前記ライブｅスポーツイベントの異なるカメラアングルに基づく、請求項１０に記載のシステム。
【請求項１７】
前記リモート視聴者は、他の視聴者とのインタラクションを選択し得る機能を提供される、請求項１０に記載のシステム。
【請求項１８】
前記リモート視聴者は、他の視聴者からの音声を提供される、請求項１０に記載のシステム。
【請求項１９】
プログラムを具現化した非一時的コンピュータ可読記憶媒体であって、前記プログラムは、プロセッサによって実行可能で、ライブ電子スポーツ（ｅスポーツ）イベントのスケーリングされたエンゲージメント及びビューを提供する方法を実行し、前記方法は、
１つまたは複数のゲーム内要素を含む情報をライブｅスポーツイベントから収集することと、
前記収集した情報に基づいて前記ライブｅスポーツイベント内のプレイヤに関する統計を生成することと、
前記ライブｅスポーツイベントから前記収集された情報を使用して、ゲーム内カメラの視野から前記ライブｅスポーツイベントを提示する表示を生成することであって、前記生成された表示は、前記生成された統計に関連付けられる、前記生成することと、
前記生成された表示を、前記生成された統計を使用して、リモート視聴者に合わせて修正することであって、
前記生成された表示を修正することは、拡張現実環境内に前記ライブｅスポーツイベントの表示を実施することと、前記リモート視聴者のプリファレンスに従って、前記ゲーム内要素の少なくとも１つを追うように前記ゲーム内カメラの視野を調整することとを含む、前記修正することと、
前記修正された表示を前記リモート視聴者のユーザデバイスに配信することと、
を含む、方法。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスにより構成された第１の構成情報を取得することと、
前記端末デバイスが前記第１の構成情報に基づいて、第１の無線時間周波数リソースを決定し、前記第１の無線時間周波数が端末間通信に使用されることと、
前記端末デバイスが前記ネットワークデバイスに前記第１の無線時間周波数リソースの測定結果を報告することと、を含み、
前記端末デバイスが、ネットワークスケジューリングによる端末間通信リソースモードをサポートする端末デバイスである
ことを特徴とするリソース報告方法。
【請求項２】
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項１に記載のリソース報告方法。
【請求項３】
前記第１の構成情報は、第１のインデックスを含み、
前記第１のインデックスは、前記端末デバイスが無線時間周波数リソースの時間位置又は範囲を報告するように指示する
ことを特徴とする請求項１又は２に記載のリソース報告方法。
【請求項４】
前記方法は、
前記端末デバイスが対象サービスに基づいて前記第１の無線時間周波数リソースを決定することを含む
ことを特徴とする請求項１に記載のリソース報告方法。
【請求項５】
前記端末デバイスが前記第１の無線時間周波数リソースを決定することは、
前記端末デバイスが前記第１の無線時間周波数リソースの時間位置又は範囲を決定すること、
及び／又は、前記端末デバイスが前記第１の無線時間周波数リソースの周波数位置又は幅を決定すること、
及び／又は、前記端末デバイスが前記第１の無線時間周波数リソースの数を決定することを含む
ことを特徴とする請求項１又は４に記載のリソース報告方法。
【請求項６】
前記端末デバイスが前記ネットワークデバイスに前記第１の無線時間周波数リソースの測定結果を報告する前に、前記方法は、さらに、
前記端末デバイスが第２の無線時間周波数リソースを傍受して前記測定結果を取得することを含む
ことを特徴とする請求項１〜５のいずれか１項に記載のリソース報告方法。
【請求項７】
前記端末デバイスが前記第２の無線時間周波数リソースを傍受して前記測定結果を取得する前に、前記方法は、さらに、
前記端末デバイスが前記ネットワークデバイスにより構成された第２の構成情報に基づいて、前記第２の無線時間周波数リソースを決定することを含む
ことを特徴とする請求項６に記載のリソース報告方法。
【請求項８】
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項７に記載のリソース報告方法。
【請求項９】
前記端末デバイスが前記第２の無線時間周波数リソースを決定することは、
前記端末デバイスが前記第２の無線時間周波数リソースの時間位置又は範囲を決定すること、
及び／又は、前記端末デバイスが前記第２の無線時間周波数リソースの周波数位置又は幅を決定すること、
及び／又は、前記端末デバイスが前記第２の無線時間周波数リソースの数を決定することを含む
ことを特徴とする請求項７に記載のリソース報告方法。
【請求項１０】
前記端末デバイスがネットワークデバイスに端末間通信のための第１の無線時間周波数リソースの測定結果を報告することは、
前記端末デバイスが前記ネットワークデバイスに前記第１の無線時間周波数リソースの測定結果を周期的に報告することを含む
ことを特徴とする請求項１〜９のいずれか１項に記載のリソース報告方法。
【請求項１１】
前記測定結果は、無線リソース制御ＲＲＣシグナリング、メディアアクセス制御制御ユニットＭＡＣ ＣＥ、バッファ状態レポートＢＳＲ、物理上り制御チャネルのうちの少なくとも１つに搬送される
ことを特徴とする請求項１〜１０のいずれか１項に記載のリソース報告方法。
【請求項１２】
前記測定結果は、前記第１の時間周波数リソースの時間周波数位置情報、リソース利用可能情報、ＲＳＲＰ情報、ＲＳＳＩ情報、ＲＳＲＱ情報のうちの少なくとも１つを含む
ことを特徴とする請求項１〜１１のいずれか１項に記載のリソース報告方法。
【請求項１３】
処理ユニット及び通信ユニットを備える端末デバイスであって、
前記処理ユニットは、
ネットワークデバイスにより構成された第１の構成情報を取得し、前記第１の構成情報に基づいて、第１の無線時間周波数リソースを決定するように構成され、
前記通信ユニットは、
前記ネットワークデバイスに前記第１の無線時間周波数リソースの測定結果を報告するように構成され、
前記第１の無線時間周波数が端末間通信に使用され、
前記端末デバイスが、ネットワークスケジューリングによる端末間通信リソースモードをサポートする端末デバイスである
ことを特徴とする端末デバイス。
【請求項１４】
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項１３に記載の端末デバイス。
【請求項１５】
コンピュータプログラムを格納するメモリと、前記メモリに格納されたコンピュータプログラムを呼び出して実行するプロセッサとを備え、
前記プロセッサは、コンピュータプログラムを実行する場合、請求項１〜１２のいずれか１項に記載のリソース報告方法を実行する
ことを特徴とする端末デバイス。
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
架空電気ケーブルであって、
強度部材と、
前記強度部材を包囲する第１伝導層であって、第１アルミニウム材料のストランドを備える第１伝導層と、
前記第１伝導層を包囲する第２伝導層であって、第２アルミニウム材料のストランドを備える第２伝導層と、を備え、
前記第２アルミニウム材料の硬度は、前記第１アルミニウム材料の硬度よりも大きい、架空電気ケーブル。
【請求項２】
前記第１アルミニウム材料の電気伝導率は、前記第２アルミニウム材料の前記電気伝導率よりも大きい、請求項１に記載の架空電気ケーブル。
【請求項３】
前記第１アルミニウム材料は、６０％ＩＡＣＳ以上の電気伝導率を有する、請求項２に記載の架空電気ケーブル。
【請求項４】
前記第１アルミニウム材料は、６２％ＩＡＣＳ以上の伝導率を有する、請求項２に記載の架空電気ケーブル。
【請求項５】
前記第１アルミニウム材料は１３５０−Ｏアニーリングアルミニウム合金である、請求項１〜４のいずれか一項に記載の架空電気ケーブル。
【請求項６】
前記第２アルミニウム材料は硬化アルミニウム合金である、請求項１〜５のいずれか一項に記載の架空電気ケーブル。
【請求項７】
前記第２アルミニウム材料は、アルミニウム−ジルコニウム（ＡｌＺｒ）合金および１３５０−Ｈ１９アルミニウム合金から選択される、請求項１〜６のいずれか一項に記載の架空電気ケーブル。
【請求項８】
前記第１アルミニウム材料の前記ストランドと前記第２アルミニウム材料の前記ストランドとのうちの少なくとも一方は、台形ストランドである、請求項１〜７のいずれか一項に記載の架空電気ケーブル。
【請求項９】
前記第１アルミニウム材料の前記ストランドと前記第２アルミニウム材料の前記ストランドとの両方が、台形ストランドである、請求項１〜８のいずれか一項に記載の架空電気ケーブル。
【請求項１０】
前記第１伝導層と前記第２伝導層との間に配置された第３伝導層をさらに備える、請求項１〜９のいずれか一項に記載の架空電気ケーブル。
【請求項１１】
前記第３伝導層は、前記第１アルミニウム材料と異なり前記第２アルミニウム材料と異なる、第３アルミニウム材料のストランドを備える、請求項１０に記載の架空電気ケーブル。
【請求項１２】
前記第３伝導層は、前記第１アルミニウム材料のストランドを備える、請求項１０に記載の架空電気ケーブル。
【請求項１３】
前記第３伝導層は、前記第２アルミニウム材料のストランドを備える、請求項１０に記載の架空電気ケーブル。
【請求項１４】
前記強度部材は繊維補強複合強度要素を備える、請求項１〜１３のいずれか一項に記載の架空電気ケーブル。
【請求項１５】
前記繊維補強複合強度要素は、結合マトリクス中に配置されたほぼ連続した補強カーボン繊維を含む、請求項１４に記載の架空電気ケーブル。
【請求項１６】
前記強度部材は、３０ｍｍ以下の直径を有する、請求項１４または１５に記載の架空電気ケーブル。
【請求項１７】
前記強度部材は、３ｍｍ以上の直径を有する、請求項１４〜１６のいずれか一項に記載の架空電気ケーブル。
【請求項１８】
前記強度部材は、１７００ＭＰａ以上の極限引張強度（ＵＴＳ）を有する、請求項１〜１７のいずれか一項に記載の架空電気ケーブル。
【請求項１９】
前記強度部材は、３７００ＭＰａ以下の極限引張強度（ＵＴＳ）を有する、請求項１４〜１８のいずれか一項に記載の架空電気ケーブル。
【請求項２０】
架空電気ケーブルの製造のための方法であって、
第１伝導層を形成するように、第１アルミニウム材料の複数の第１ストランドを強度部材に対し巻く工程と、
第２伝導層を形成するように、第２アルミニウム材料の複数の第２ストランドを前記第１伝導層の周りに巻く工程と、を備え、
前記第２アルミニウム材料の硬度は、前記第１アルミニウム材料の硬度よりも大きい、方法。
【請求項２１】
前記第１アルミニウム材料の前記複数の第１ストランドは、台形の断面を有する、請求項２０に記載の方法。
【請求項２２】
前記第２アルミニウム材料の前記複数の第２ストランドは、台形の断面を有する、請求項２１に記載の方法。
【請求項２３】
前記複数の第２ストランドの前記第１伝導層の周りの巻付けの前に、第３アルミニウム材料の複数の第３ストランドを前記第１伝導層の周りに巻く工程をさらに備える、請求項２０〜２２のいずれか一項に記載の方法。
【請求項２４】
電気伝送ラインの設置のための方法であって、
架空電気ケーブルを２つ以上の支持構造間に張る工程と、
前記架空電気ケーブルに張力を加える工程と、
前記架空電気ケーブルが前記張力を加えられている状態において、前記架空電気ケーブルが前記２つの支持構造により少なくとも部分的には支持されるとともに、ある挟み込み張力にて張られるように、前記架空電気ケーブルの第１端および第２端を挟む工程と、を備え、
前記架空電気ケーブルは、
強度部材と、
前記強度部材を包囲する第１伝導層であって、第１アルミニウム材料のストランドを備える、第１伝導層と、
前記第１伝導層を包囲する第２伝導層であって、前記第１アルミニウム材料とは異なる第２アルミニウム材料の伝導ストランドを備える、第２伝導層と、を備え、
前記第２アルミニウム材料の硬度は、前記第１アルミニウム材料の硬度よりも大きい、方法。
【請求項２５】
前記架空電気ケーブルは、請求項１〜１９のいずれか一項に記載の架空電気ケーブルである、請求項２４に記載の方法。
【請求項２６】
架空電気伝送線であって、
２つ以上の支持構造と、
少なくとも、前記支持構造により支持された第１電気ケーブルと、を備え、前記第１電気ケーブルは請求項１〜１９のいずれか一項に記載の第１電気ケーブルである、架空電気伝送ライン。
【誤訳訂正書】
【提出日】令和3年3月26日(2021.3.26)
【誤訳訂正１】
【訂正対象書類名】特許請求の範囲
【訂正対象項目名】全文
【訂正方法】変更
【訂正の内容】
【特許請求の範囲】
【請求項１】
以下の工程を実行するように構成された処理ユニットによって、心腔の異なる刺激点について得られた、心室頻脈を除く、いくつかの表面心電図ＥＣＧから、心腔の３次元マッピングで峡部を特定する方法であって、前記工程が
ａ）２つの刺激点の表面心電図ＥＣＧを比較することによって、それぞれの２つの刺激点について相関係数を判定するステップと；
ｂ）前記相関係数と前記３Ｄマッピングにおける前記刺激点の３Ｄ座標とに基づいて流域線を特定するステップと；
ｃ）前記流域線を実質的に横切る３Ｄコリドーに基づいて前記峡部を判定するステップである前記方法。
【請求項２】
ステップａ）の前に、前記３Ｄマッピングにおいて重なり合ういくつかのボリュームを構成するステップが実行され、これらのボリュームがすべての刺激点を含み、ステップａ）が、各前記ボリュームの刺激点の間で実行されることを特徴とする、請求項１に記載の方法。
【請求項３】
ステップａ）およびステップｂ）の少なくとも１回の反復が実施され、各反復において、先の前記反復で特定された前記流域線に近い新しい刺激点が使用されることを特徴とする、請求項１に記載の方法。
【請求項４】
前記表面心電図ＥＣＧが、１２のリード表面心電図ＥＣＧであることを特徴とする、請求項１〜３のいずれか一項に記載の方法。
【請求項５】
前記相関係数が、前記１２のリード表面心電図ＥＣＧに由来するＱＲＳ波形から判定されることを特徴とする、請求項４に記載の方法。
【請求項６】
前記相関させることが、「テンプレートマッチング」と呼ばれるＢＡＲＤアルゴリズムに従って実施されることを特徴とする、請求項５に記載の方法。
【請求項７】
ステップａ）が、さらに、これらの刺激点間の前記相関係数のレベルの関数として、刺激点の群を特定するためのステップを含むことを特徴とする、請求項１〜６のいずれか一項に記載の方法。
【請求項８】
同一の色で表示画面に１つおよび同じ前記群の前記１セットの刺激点を表示することによって、前記群を特定することを特徴とする、請求項７に記載の方法。
【請求項９】
心腔の３次元マッピングにおいて峡部を特定するためのシステムであって、
−心腔の異なる刺激点について得られた、心室頻脈を除く、いくつかの表面心電図ＥＣＧを生成するための心電計と、
−以下のステップ：
ａ）２つの刺激点の表面心電図ＥＣＧを比較することによって、それぞれの２つの刺激点について相関係数を判定するステップと；
ｂ）前記相関係数と前記３Ｄマッピングにおける前記刺激点の３Ｄ座標とに基づいて流域線を特定するステップと；
ｃ）前記流域線を実質的に横切る３Ｄコリドーに基づいて前記峡部を判定するステップと；
を実行するよう構成される処理ユニットと
を含むシステム。
【請求項１０】
さらにアブレーションカテーテルを含むことを特徴とする、請求項９に記載のシステム。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
グラフィックスパイプラインにおいて、ウィンドウ空間内のピクセルを不均一なピクセル間隔でレンダリングすることと、
スキャンコンバータを用いて、ウィンドウ空間内のピクセルを、ウィンドウ空間内の不均一な間隔のピクセルをラスタ空間内の均一な間隔のピクセルにマッピングする歪み関数を通してサンプリングすることと、
前記スキャンコンバータにおいて、ラスタ空間内の均一な間隔のピクセルに基づいて、表示ピクセルをレンダリングすることと、
前記表示ピクセルを使用して、ユーザに表示される画像を生成することと、を含む、
方法。
【請求項２】
前記ウィンドウ空間内のピクセルを不均一なピクセル間隔でレンダリングすることは、視野（subtended）角毎のピクセル密度がユーザの視野全体で一定になるように、前記ウィンドウ空間内のピクセルをレンダリングすることを含む、
請求項１の方法。
【請求項３】
前記ウィンドウ空間内のピクセルをレンダリングすることは、視野角毎のピクセル密度が、ユーザに関連する中心窩領域で比較的高く、前記ユーザに関連する視覚周辺部で比較的低くなるように、前記ウィンドウ空間内のピクセルをレンダリングすることを含む、
請求項２の方法。
【請求項４】
前記歪み関数を通してウィンドウ空間内のピクセルをサンプリングすることは、ウィンドウ空間内の前記不均一な間隔のピクセルの第１寸法をラスタ空間内の前記均一な間隔のピクセルにマッピングする垂直歪み関数と、ウィンドウ空間内の前記不均一な間隔のピクセルの第２寸法をラスタ空間内の前記均一な間隔のピクセルにマッピングする水平歪み関数と、を通してウィンドウ空間内のピクセルをサンプリングすることを含む、
請求項１の方法。
【請求項５】
前記垂直歪み関数及び前記水平歪み関数は、ウィンドウ空間内の不均一なピクセルをラスタ空間内の均一な間隔のピクセルにマッピングする線形関数からの対応する変位のセットによって定義される、
請求項４の方法。
【請求項６】
前記ユーザの中心窩領域を決定することと、
前記中心窩領域の位置に対応する前記ウィンドウ空間の一部のピクセルの解像度を高めるように、前記垂直及び水平歪み関数を変更することと、をさらに含む、
請求項５の方法。
【請求項７】
プリミティブのバウンディングボックスをウィンドウ空間内の不均一な間隔のピクセルの境界と比較することと、
前記比較に基づいて、前記グラフィックスパイプラインを通して前記プリミティブをルーティングすることと、をさらに含む、
請求項１の方法。
【請求項８】
前記プリミティブとウィンドウ空間内の不均一な間隔のピクセルとの交点に基づいて、前記プリミティブのサンプルをビニングすること、をさらに含む、
請求項７の方法。
【請求項９】
ウィンドウ空間内のピクセルを不均一なピクセル間隔でレンダリングするグラフィックスパイプラインを実装するように構成された少なくとも１つのプロセッサと、
ウィンドウ空間内の不均一な間隔のピクセルをラスタ空間内の均一な間隔のピクセルにマッピングする歪み関数と、
スキャンコンバータと、を備え、
前記スキャンコンバータは、
前記歪み関数を通してウィンドウ空間内のピクセルをサンプリングすることと、
ラスタ空間内の均一な間隔のピクセルに基づいてユーザに表示される画像を生成するために使用される表示ピクセルをレンダリングすることと、
を行うように構成されている、
装置。
【請求項１０】
前記少なくとも１つのプロセッサは、
視野角毎のピクセル密度がユーザの視野全体で一定になるように、前記ウィンドウ空間内のピクセルをレンダリングすることを行うように構成されている、
請求項９の装置。
【請求項１１】
前記少なくとも１つのプロセッサは、
視野角毎のピクセル密度が、ユーザに関連する中心窩領域で比較的高く、前記ユーザに関連する視覚周辺部で比較的低くなるように、前記ウィンドウ空間内のピクセルをレンダリングすることを行うように構成されている、
請求項１０の装置。
【請求項１２】
前記スキャンコンバータは、ウィンドウ空間内の不均一な間隔のピクセルの第１寸法をラスタ空間内の均一な間隔のピクセルにマッピングする垂直歪み関数と、ウィンドウ空間内の前記不均一な間隔のピクセルの第２寸法をラスタ空間内の前記均一な間隔のピクセルにマッピングする水平歪み関数と、を通してウィンドウ空間内のピクセルをサンプリングするように構成されている、
請求項９の装置。
【請求項１３】
前記垂直及び水平歪み関数は、ウィンドウ空間内の均一な間隔のピクセルをラスタ空間内の均一な間隔のピクセルにマッピングする線形関数からの対応する変位のセットによって定義される、
請求項１２の装置。
【請求項１４】
前記少なくとも１つのプロセッサは、
前記ユーザの中心窩領域を決定することと、
前記中心窩領域の位置に対応する前記ウィンドウ空間の一部のピクセルの解像度を高めるように、前記垂直及び水平歪み関数を変更することと、
を行うように構成されている、
請求項１３の装置。
【請求項１５】
前記少なくとも１つのプロセッサは、
プリミティブのバウンディングボックスをウィンドウ空間内の前記不均一な間隔のピクセルの境界と比較することと、
前記比較に基づいて、前記グラフィックスパイプラインを通して前記プリミティブをルーティングすることと、
を行うように構成されている、
請求項９の装置。
【請求項１６】
前記少なくとも１つのプロセッサは、
前記プリミティブとウィンドウ空間内の前記不均一な間隔のピクセルとの交点に基づいて、前記プリミティブのサンプルをビニングすることを行うように構成されている、
請求項１５の装置。
【請求項１７】
ヘッドマウントデバイス（ＨＭＤ）であって、
前記ＨＭＤを装着しているユーザに画像を提示するディスプレイと、
ウィンドウ空間内のピクセルを不均一なピクセル間隔でレンダリングするグラフィックスパイプラインを実装するように構成された少なくとも１つのプロセッサと、
スキャンコンバータと、を備え、
前記スキャンコンバータは、
ウィンドウ空間内の不均一な間隔のピクセルをラスタ空間内の均一な間隔のピクセルにマッピングする第１歪み関数を通して、ウィンドウ空間内のピクセルをサンプリングすることと、
ラスタ空間内の均一な間隔のピクセルに基づいて、前記ユーザに表示される画像を生成するために、前記ディスプレイに提供される表示ピクセルをレンダリングすることと、
を行うように構成されている、
ＨＭＤ。
【請求項１８】
前記少なくとも１つのプロセッサは、視野領域毎のピクセル密度が前記ユーザの視野全体で一定になるように、前記ウィンドウ空間内のピクセルをレンダリングするように構成されている、
請求項１７のＨＭＤ。
【請求項１９】
前記少なくとも１つのプロセッサは、前記ディスプレイに提供される前に前記表示ピクセルに適用される第２歪み関数を実行するように構成されている、
請求項１７のＨＭＤ。
【請求項２０】
前記少なくとも１つのプロセッサは、
前記ユーザの中心窩領域を決定することと、
前記中心窩領域の位置に対応する前記ウィンドウ空間の一部のピクセルの解像度を高めるように、前記第１歪み関数を変更することと、
を行うように構成されている、
請求項１７のＨＭＤ。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
顕微鏡システム用の位相板であって、
下面、基板本体、及び上面を通じて点光源からの光の波長を通す平面基板を備え、
前記上面が、少なくとも第１の層領域及び第２の層領域を含む分割領域アレイとして形成された点像分布関数工学プロファイルを含み、
第１及び第２の層領域がそれぞれ、前記光の波長の点像分布関数を変換して波長依存幾何学的パターンを形成する異なる厚さを有する、位相板。
【請求項２】
前記平面基板が、ＳｉＯ２、ガラス、石英、雲母、及びＡｌ２Ｏ３のうちの少なくとも１つを含む、請求項１に記載の位相板。
【請求項３】
前記上面が、約３ｎｍ未満の表面粗さ（Ｒａ）を有する、請求項１に記載の位相板。
【請求項４】
前記分割領域アレイが、正方形の規則的なモザイクを形成する、請求項１に記載の位相板。
【請求項５】
前記規則的なモザイクが、２×２グリッド、３×３グリッド、又は４×４グリッドである、請求項４に記載の位相板。
【請求項６】
前記点像分布関数工学プロファイルが反射対称性を有する、請求項１に記載の位相板。
【請求項７】
前記点像分布関数工学プロファイルが、前記上面の中心軸を中心とした放射対称性を有する、請求項１に記載の位相板。
【請求項８】
前記波長依存幾何学的パターンが、前記点光源の空間位置を維持する空間的に中心合わせされた形状を含む、請求項１に記載の位相板。
【請求項９】
前記点像分布関数工学プロファイルが、少なくとも３つの異なる層高さを有する少なくとも３つの層領域を含む、請求項１に記載の位相板。
【請求項１０】
方法であって、
試料の観察領域を照射して、少なくとも１つの光の波長の放射光を生成することと、
前記放射光を位相板に通過させることによって、前記観察領域内の点エミッタの第１の画像を捕捉することであって、前記位相板が、上面、基板本体、及び下面を有する透明基板を含み、前記上面が、少なくとも第１の層領域及び第２の層領域を含む領域のモザイクから形成された点像分布関数工学プロファイルを含み、前記第１及び第２の層領域のそれぞれが、前記少なくとも１つの波長の光の点像分布関数を修正して波長依存幾何学的パターンを形成する異なる厚さを有することと、
前記第１の画像の分析に応答して、前記点エミッタの前記波長依存幾何学的パターンに基づいて、前記点エミッタに対応する色を決定することと、
を含む、方法。
【請求項１１】
前記第１の画像の分析に応答して、前記点エミッタの前記波長依存幾何学的パターンに基づいて、前記観察領域内の前記点エミッタの位置を判定することを更に含む、請求項１０に記載の方法。
【請求項１２】
前記第１及び第２の層領域が、規則的な正方形のモザイクを形成する、請求項１０に記載の方法。
【請求項１３】
前記点像分布関数工学プロファイルが、前記上面の中心軸を中心とした半径対称性を有する、請求項１０に記載の方法。
【請求項１４】
前記点像分布関数工学プロファイルが、反射対称性を有し、前記放射光の空間位置を維持する空間的に中心合わせされた形状である、請求項１０に記載の方法。
【請求項１５】
後の時点で前記点エミッタの第２の画像を捕捉することと、前記点エミッタの運動を判定することと、を更に含む、請求項１４に記載の方法。
【請求項１６】
蛍光顕微鏡撮像デバイスであって、
少なくとも１つの波長の光で試料の観察領域を照射するように配置された任意の照明源と、
前記試料からの光を捕捉して画像を形成するように配置された撮像センサと、
前記試料からの光を前記撮像センサに方向付けるように配置された撮像光学素子と、
前記撮像光学素子のフーリエ平面に配置された請求項１に記載の位相板と、
を備える、蛍光顕微鏡撮像デバイス。
【請求項１７】
前記画像内の異なる色の形態を検出するように適合された検出器を更に備える、請求項１６に記載の蛍光顕微鏡撮像デバイス。
【請求項１８】
前記画像を表示するように適合された表示デバイスを更に備え、前記画像が、前記試料内の点エミッタを表す波長依存幾何学的パターンを含む、請求項１６に記載の蛍光顕微鏡撮像デバイス。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
空間姿勢を表すＮ次元空間内の経路群を記憶するための記憶部であって、該経路群は複数の経路を有し、前記経路群における各経路が、前記Ｎ次元空間を経るカメラ姿勢軌道を記述すると共に当該経路のカメラ姿勢に関する画像及び深さ情報の両方を有するフレームを含んだビデオ項目にリンクされた記憶部と、
ビューワ位置指示情報を受信するための入力部と、
前記経路群における第１経路を、前記ビューワ位置指示情報及び前記経路群における経路の位置に依存した距離メトリックに依存する選択基準に応答して選択するためのセレクタと、
前記第１経路に関連付けられた第１ビデオ項目をビデオ源から取り出すための検索部と、
前記ビューワ位置指示情報に関する少なくとも１つのビュー画像を前記第１ビデオ項目の第１フレーム群から生成する画像生成部と、
を有し、
前記選択基準が前記経路群における他の経路に対して現在選択されている経路に向かってバイアスされる、
装置。
【請求項２】
前記画像生成部は、前記第１フレーム群を、前記ビューワ位置指示情報に対する前記第１ビデオ項目のフレームに関する経路位置データに応答して選択する、請求項１に記載の装置。
【請求項３】
前記画像生成部は、前記第１経路が前記現在選択されている経路として選択される場合、前記第１フレーム群の選択を、前記第１ビデオ項目の現在選択されている第１フレーム群まで一層小さな時間的距離を有するフレームに向かってバイアスする、請求項１又は請求項２に記載の装置。
【請求項４】
前記画像生成部は、前記第１経路が前記現在選択されている経路として選択される場合、前記第１フレーム群の選択を、前記第１ビデオ項目の現在選択されているフレームまでの時間的距離の減少に伴って増加するフレーム選択メトリックに基づいて実行する、請求項１又は請求項２に記載の装置。
【請求項５】
前記記憶部は、ビデオシーケンスの経路に関して交差位置を更に記憶し、前記選択基準が、これら交差位置に依存する、請求項１に記載の装置。
【請求項６】
前記セレクタが、前記交差位置に対応するビューワ位置指示情報に対して前記現在選択されている経路に向かう前記バイアスを低減する、請求項５に記載の装置。
【請求項７】
前記現在選択されている経路に向かう前記バイアスが、前記ビューワ位置指示情報と交差位置との間の距離に依存する、請求項５に記載の装置。
【請求項８】
前記記憶部が、ノードとしての交差、及び、辺により反映される経路を有するグラフを記憶する、請求項５から７の何れか一項に記載の装置。
【請求項９】
少なくとも幾つかのビデオシーケンスに関する交差位置に関連付けられたフレームがイントラコード化フレームである、請求項５から８の何れか一項に記載の装置。
【請求項１０】
前記画像生成部が、前記ビュー画像を、少なくとも前記第１フレーム群の第１フレーム及び前に選択された第２経路にリンクされたビデオ項目の第２フレームから生成する、請求項１から９の何れか一項に記載の装置。
【請求項１１】
前記第２フレームが、前記第１経路と前記前に選択された第２経路との間の交差に関連付けられたフレームである、請求項５から９の何れか一項に従属する請求項１０に記載の装置。
【請求項１２】
前記記憶部は、前記経路群における経路の間の空間的関係を示す関係データを更に記憶し、前記第１経路の選択が該関係データに応答するものである、請求項１に記載の装置。
【請求項１３】
前記関係データが、
２つの経路の交差、
２つの経路の接合、
２つの経路のうちの、該２つの経路における第２経路に対して反対の移動方向に対応する第１経路、及び
２つの経路が平行であること、
の群から選択される２つの経路の間の少なくとも１つの空間的関係を示す、請求項１２に記載の装置。
【請求項１４】
前記ビデオ項目はイントラコード化フレーム及びインターコード化フレームの両方を有するコード化されたビデオ項目であり、前記セレクタが、インターコード化フレームに対応するビューワ位置指示情報に対して、イントラコード化フレームに対応するビューワ位置指示情報に対する前記現在選択されている経路に向かうバイアスを低減する、請求項１から１３の何れか一項に記載の装置。
【請求項１５】
空間姿勢を表すＮ次元空間内の経路群を記憶するステップであって、前記経路群は複数の経路を有し、前記経路群における各経路が、前記Ｎ次元空間を経るカメラ姿勢軌道を記述すると共に当該経路のカメラ姿勢に関する画像及び深さ情報の両方を有するフレームを含んだビデオ項目にリンクされた、前記経路群を記憶するステップと、
ビューワ位置指示情報を受信するステップと、
前記経路群における第１経路を、前記ビューワ位置指示情報及び前記経路群における経路の位置に依存した距離メトリックに依存する選択基準に応答して選択するステップと、
前記第１経路に関連付けられた第１ビデオ項目をビデオ源から取り出すステップと、
前記ビューワ位置指示情報に関する少なくとも１つのビュー画像を前記第１ビデオ項目の第１フレーム群から生成するステップと、
を有し、
前記選択基準が前記経路群における他の経路に対して現在選択されている経路に向かってバイアスされる、
方法。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
患者適応解剖モデルを取得するモデル入力部と、
前記患者適応解剖モデルからモデルパラメータのセットを抽出するパラメータ抽出部と、
抽出された前記モデルパラメータのセットに基づいてスケッチテンプレートを生成するか又は適応させるスケッチ部と、
を含む、スケッチテンプレート生成又は適応のためのデバイス。
【請求項２】
前記パラメータ抽出部は、生成又は適応される前記スケッチテンプレートのスケッチテンプレートパラメータに対応する又は関連するモデルパラメータのセットを、前記患者適応解剖モデルから抽出する、請求項１に記載のデバイス。
【請求項３】
前記パラメータ抽出部は、生成又は適応される前記スケッチテンプレートを分析して、前記スケッチテンプレートパラメータを抽出し、抽出された前記スケッチテンプレートパラメータから前記モデルパラメータのセットを決定する、請求項２に記載のデバイス。
【請求項４】
前記パラメータ抽出部は、前記患者適応解剖モデルからスケッチテンプレート情報を抽出し、前記スケッチテンプレート情報は、前記患者適応解剖モデルの前記モデルパラメータに基づいて生成又は適応可能な１つ以上のスケッチテンプレートを示し、前記スケッチ部は、抽出された前記スケッチテンプレート情報によって示される前記１つ以上のスケッチテンプレートからスケッチテンプレートを生成する又は適応させる、請求項１に記載のデバイス。
【請求項５】
前記パラメータ抽出部は、前記患者適応解剖モデルからスケッチテンプレート情報を抽出し、前記スケッチテンプレート情報は、前記患者適応解剖モデルの前記モデルパラメータに対応する又は関連する１つ以上のスケッチテンプレートパラメータを示し、
前記パラメータ抽出部は、抽出された前記スケッチテンプレート情報によって示される前記１つ以上のスケッチテンプレートパラメータに対応又は関連する１つ以上のモデルパラメータを前記患者適応解剖モデルから抽出する、請求項１に記載のデバイス。
【請求項６】
前記パラメータ抽出部は、セグメント識別子、相対的又は絶対的長さ情報、相対的又は絶対的面積情報、位置情報及びアスペクト比のうちの１つ以上を含むモデルパラメータを抽出する、請求項１に記載のデバイス。
【請求項７】
前記スケッチ部は、幾何演算を含む１つ以上の変換ルールを使用してスケッチテンプレートを生成するか又は適応させ、前記変換ルールは、１つ以上のモデルパラメータと、生成又は適応される前記スケッチテンプレートの１つ以上のスケッチテンプレートパラメータとの関係を示す、請求項１に記載のデバイス。
【請求項８】
前記スケッチ部は、前記患者適応解剖モデル及び前記スケッチテンプレートにおいて利用可能な１つ以上のランドマークを使用して、スケッチテンプレートを生成するか又は適応させる、請求項１に記載のデバイス。
【請求項９】
生成又は適応されるスケッチテンプレートを示すユーザ入力を取得するユーザ入力部を更に含み、前記パラメータ抽出部は、前記ユーザ入力によって示される前記スケッチテンプレートのスケッチテンプレートパラメータに対応又は関連するモデルパラメータのセットを前記患者適応解剖モデルから抽出し、及び／又は、前記ユーザ入力は、前記スケッチテンプレートの変更を示す、請求項１に記載のデバイス。
【請求項１０】
患者の関心領域の取得した医用画像データに基づいて前記患者の関心領域内の解剖学的構造の解剖モデルを適応させるモデル適応部を更に含む、請求項１に記載のデバイス。
【請求項１１】
前記スケッチ部は、ラベル、注釈、所見、転写観察結果及び／又は測定値のメタ情報を、前記患者適応解剖モデルから、生成又は適応された前記スケッチテンプレートに移す、請求項１に記載のデバイス。
【請求項１２】
前記スケッチ部は、前記患者適応解剖モデルから抽出可能であるモデルパラメータの精度、解像度及び／若しくは数に基づいて、並びに／又は、患者の医用画像データへの前記患者適応解剖モデルの適応の精度に基づいて、スケッチテンプレートを生成するか又は適応させる、請求項１に記載のデバイス。
【請求項１３】
患者の関心領域の医用画像データを取得する撮像装置と、
取得した前記医用画像データに基づいて前記関心領域内の解剖学的構造の解剖モデルを適応させるモデル適応部と、
適応された前記解剖モデルに基づいてスケッチテンプレートを生成するか又は適応させる請求項１に記載のデバイスと、
を含む、医療システム。
【請求項１４】
患者適応解剖モデルを取得するステップと、
前記患者適応解剖モデルからモデルパラメータのセットを抽出するステップと、
抽出された前記モデルパラメータのセットに基づいてスケッチテンプレートを生成するか又は適応させるステップと、
を含む、スケッチテンプレート生成又は適応方法。
【請求項１５】
コンピュータプログラムがコンピュータ上で実行されると、前記コンピュータに、請求項１４に記載の方法のステップを行わせるプログラムコード手段を含む、コンピュータプログラム。